(57)【特許請求の範囲】
【請求項１】
化粧品陳列台部端部から手前側に向かって下向き傾斜状に延設される表示板部と、この表示板部の下部の表面において着脱自在に固定される表示用横棒部とを備え、上記表示板部の下部の左右両側縁から左右一対の保持板部を上記表示用横棒部の左右両端面に相対向状に立設し、上記表示板部の下部に、その下端面から上記両保持板部の少なくとも一方に沿って延びる切欠き部を形成し、この切欠き部により上記少なくとも一方の保持板部を、横方向に撓みうる弾性保持板部に形成し、この弾性保持板部の上下部にそれぞれ凹部を形成し、上記弾性保持板部の上側凹部に対応する上記表示用横棒部の端面の部分から上側凸部を突設し、上記弾性保持板部の下側凹部に対応する上記表示用横棒部の端面の部分から下側凸部を突設し、上記表示用横棒部を表示板部の表面に沿って下方にスライド移動させた状態で、上記表示用横棒部の上側凸部を保持板部の上側凹部に着脱自在に係合させるとともに、上記表示用横棒部の下側凸部を弾性保持板部に当接させこれを横方向に撓ませながら下降させて保持板部の下側凹部に着脱自在に係合させるように構成したことを特徴とする化粧品陳列具。
【請求項２】
上記表示用横棒部が透明に形成され、この表示用横棒部と表示板部との間に、前面に化粧品に関する情報が表示された表示シートが配設されている請求項１記載の化粧品陳列具。
【請求項３】
上記表示用横棒部の前面に、化粧品に関する情報が表示されている請求項１記載の化粧品陳列具。
【請求項４】
化粧品陳列台部端部に着脱自在に固定される表示具であって、化粧品陳列台部端部に着脱自在に固定される表示板部と、この表示板部の下部の表面において着脱自在に固定される表示用横棒部とを備え、上記表示板部の下部の左右両側縁から左右一対の保持板部を上記表示用横棒部の左右両端面に相対向状に立設し、上記表示板部の下部に、その下端面から上記両保持板部の少なくとも一方に沿って延びる切欠き部を形成し、この切欠き部により上記少なくとも一方の保持板部を、横方向に撓みうる弾性保持板部に形成し、この弾性保持板部の上下部にそれぞれ凹部を形成し、上記弾性保持板部の上側凹部に対応する上記表示用横棒部の端面の部分から上側凸部を突設し、上記弾性保持板部の下側凹部に対応する上記表示用横棒部の端面の部分から下側凸部を突設し、上記表示用横棒部を表示板部の表面に沿って下方にスライド移動させた状態で、上記表示用横棒部の上側凸部を保持板部の上側凹部に着脱自在に係合させるとともに、上記表示用横棒部の下側凸部を弾性保持板部に当接させこれを横方向に撓ませながら下降させて保持板部の下側凹部に着脱自在に係合させるように構成したことを特徴とする表示具。
【請求項５】
上記表示用横棒部が透明に形成され、この表示用横棒部と表示板部との間に、前面に化粧品に関する情報が表示された表示シートが配設されている請求項４記載の表示具。
【請求項６】
上記表示用横棒部の前面に、化粧品に関する情報が表示されている請求項４記載の表示具。
【発明の詳細な説明】
【技術分野】
【０００１】
本発明は、陳列トレイ，陳列棚等に陳列される各種化粧品の商品情報等が表示された化粧品陳列具および表示具に関するものである。
【背景技術】
【０００２】
従来から、化粧品販売店等では、店員に相談することなく、顧客自身が店頭等で化粧品を自由に選択することができるよう、化粧品を日用雑貨のように大量に陳列した化粧品陳列台を置くようにした店が増えてきている。このような、化粧品を大量に陳列しうる化粧品陳列台では、これに載置される陳列トレイ等の前端部に、この陳列トレイ等に陳列されている化粧品の商品名や販売価格等を表示する表示手段が設けられている。このようなものとして、図１９に示すような陳列棚用表示装置が提案されている。この陳列棚用表示装置は、表示ケース本体３１と、第一および第二の表示シート３２，３３とを備え、上記表示ケース本体３１を、水平部分３４と、この水平部分３４の前端から起立する起立部分３５と、この起立部分３５の前面に細板（図示せず）を介して接着固定される第一の表示カバー３６と、この第一の表示カバー３６の前面に細板（図示せず）を介して接着固定される第二の表示カバー３７とで構成している。そして、上記起立部分３５の前面と第一の表示カバー３６との間に形成される隙間に第一の表示シート３２を担持し、上記両表示カバー３６，３７間に形成される隙間に第二の表示シート３３を担持するようにしている（例えば、特許文献１参照）。
【０００３】
また、上記のように、起立部分３５と第一の表示カバー３６および両表示カバー３６，３７同士を接着剤や両面テープ（図示せず）を用いて接着固定するのに代えて、別パーツ（図示せず）を使って固定することも行われている。
【特許文献１】特開２００４−１８４７１７号公報
【発明の開示】
【発明が解決しようとする課題】
【０００４】
しかしながら、接着剤，両面テープや別パーツを使用する場合には、その分部品代がアップして製造コストが高価になるうえ、部品点数が多くなり、在庫管理等の管理面が複雑になる。
【０００５】
本発明は、このような事情に鑑みなされたもので、製造コストが安価で、在庫管理等の管理面が簡単な化粧品陳列具および表示具の提供をその目的とする。
【課題を解決するための手段】
【０００６】
上記の目的を達成するため、本発明は、化粧品陳列台部端部から手前側に向かって下向き傾斜状に延設される表示板部と、この表示板部の下部の表面において着脱自在に固定される表示用横棒部とを備え、上記表示板部の下部の左右両側縁から左右一対の保持板部を上記表示用横棒部の左右両端面に相対向状に立設し、上記表示板部の下部に、その下端面から上記両保持板部の少なくとも一方に沿って延びる切欠き部を形成し、この切欠き部により上記少なくとも一方の保持板部を、横方向に撓みうる弾性保持板部に形成し、この弾性保持板部の上下部にそれぞれ凹部を形成し、上記弾性保持板部の上側凹部に対応する上記表示用横棒部の端面の部分から上側凸部を突設し、上記弾性保持板部の下側凹部に対応する上記表示用横棒部の端面の部分から下側凸部を突設し、上記表示用横棒部を表示板部の表面に沿って下方にスライド移動させた状態で、上記表示用横棒部の上側凸部を保持板部の上側凹部に着脱自在に係合させるとともに、上記表示用横棒部の下側凸部を弾性保持板部に当接させこれを横方向に撓ませながら下降させて保持板部の下側凹部に着脱自在に係合させるように構成した化粧品陳列具を第１の要旨とし、化粧品陳列台部端部に着脱自在に固定される表示具であって、化粧品陳列台部端部に着脱自在に固定される表示板部と、この表示板部の下部の表面において着脱自在に固定される表示用横棒部とを備え、上記表示板部の下部の左右両側縁から左右一対の保持板部を上記表示用横棒部の左右両端面に相対向状に立設し、上記表示板部の下部に、その下端面から上記両保持板部の少なくとも一方に沿って延びる切欠き部を形成し、この切欠き部により上記少なくとも一方の保持板部を、横方向に撓みうる弾性保持板部に形成し、この弾性保持板部の上下部にそれぞれ凹部を形成し、上記弾性保持板部の上側凹部に対応する上記表示用横棒部の端面の部分から上側凸部を突設し、上記弾性保持板部の下側凹部に対応する上記表示用横棒部の端面の部分から下側凸部を突設し、上記表示用横棒部を表示板部の表面に沿って下方にスライド移動させた状態で、上記表示用横棒部の上側凸部を保持板部の上側凹部に着脱自在に係合させるとともに、上記表示用横棒部の下側凸部を弾性保持板部に当接させこれを横方向に撓ませながら下降させて保持板部の下側凹部に着脱自在に係合させるように構成した表示具を第２の要旨とする。
【発明の効果】
【０００７】
すなわち、本発明の化粧品陳列具では、その表示板部の下部の左右両側縁から左右一対の保持板部を立設するとともに、上記表示板部の下部に、その下端面から上記両保持板部の少なくとも一方に沿って延びる切欠き部を形成することにより、上記少なくとも一方の保持板部を弾性保持板部に形成し、この弾性保持板部を利用し、上記表示板部に表示用横棒部を固定しているため、従来例のように、上記固定に接着剤，両面テープや別パーツを必要とせず、その分部品代が減少して製造コストが安価になるうえ、部品点数も減少し、在庫管理等の管理面が簡単になる。一方、本発明の表示具でも、上記化粧品陳列具と同様に、弾性保持板部を利用して表示板部に表示用横棒部を固定しているため、上記化粧品陳列具と同様の作用・効果を奏する。なお、本発明において、「化粧品陳列台部」とは、化粧品を載置，陳列するための陳列トレイの載置板部分だけでなく、この陳列トレイや化粧品を陳列するための陳列棚の棚板部分をも含む意味である。また、「化粧品情報」とは、商品名，販売価格，宣伝文句，キャッチフレーズ等の各種の化粧品に関する情報を指す。
【０００８】
また、本発明において、上記表示用横棒部が透明に形成され、この表示用横棒部と表示板部との間に、前面に化粧品に関する情報が表示された表示シートが配設されている場合には、化粧品に関する情報が変更される際に、古い情報が表示された表示シートに代えて、新しい情報が記載された表示シートに使用すればよく、安価な表示シートの変更だけですむ。            
【０００９】
また、本発明において、上記表示用横棒部の前面に、化粧品に関する情報が表示されている場合には、化粧品に関する情報が表示された表示シートを省略することができ、部品点数が増加しない。
【発明を実施するための最良の形態】
【００１０】
つぎに、本発明を実施するための最良の形態について説明する。ただし、本発明は、この実施の形態に限られるものではない。
【００１１】
図１〜図３は本発明の化粧品陳列具の一実施の形態を示している。この実施の形態では、上記化粧品陳列具として、陳列棚７上に載置される陳列トレイを用いている。これらの図において、１はトレイ本体であり、図４〜図６に示すように、化粧品（図示せず）を載置するための載置板部（化粧品陳列台部）２と、この載置板部２の前端部から立設される支受板部３と、この支受板部３の上端部から前側（手前側）に向かって下り傾斜状に延設される表示板部４とからなっている。
【００１２】
上記表示板部４は、図４に示すように、支受板部３の上端部から前側に向かって下り傾斜状に延設される本体部１１と、この本体部１１の下部の左右両側縁部から立設される左右一対の突片部（保持板部）１２とを備えている。また、上記本体部１１の下部には、その下端面から上記両突片部１２（すなわち、左右両側縁部）に沿って延びる左右一対の切欠き部１３が切欠き形成されており、これら各切欠き部１３により上記各突片部１２が、左右に撓みうる弾性板部（弾性保持板部）に形成されている。また、上記両突片部１２の前面は、側面視で略半円弧状に形成されており、その上下両端部分にそれぞれ、後述する各係合凸部１４ａ，１４ｂに着脱自在に係合する係合凹部１２ａ，１２ｂが形成されている。
【００１３】
５は透明もしくは半透明な表示カバー（表示用横棒部）であり、図７および図８に示すように、その前面が側面視で略半円弧状に形成された棒状体からなっている。また、上記表示カバー５の左右幅は、上記両突片部１２間に収まる長さに形成されているとともに、その左右両端面から、上記各係合凹部１２ａ，１２ｂに着脱自在に係合する上下一対の係合凸部１４ａ，１４ｂが突設されている。そして、上記表示カバー５が表示板部４の両突片部１２に係合固定された状態では、表示カバー５と表示板部４との間に隙間が形成され、この隙間に、前面に商品名等の化粧品情報が表示された表示シート６（図１および図２参照）が出し入れ自在に挿入されている。なお、上記表示シート６は、上記隙間と同じもしくは小さい（すなわち、上記隙間内に収まる）サイズであってもよいし、上記隙間より大きい（すなわち、上記隙間からはみ出る）サイズであってもよい。
【００１４】
上記の構成において、表示板部４に表示カバー５を係合固定する場合には、表示板部４の上部前面に表示カバー５の後面を当接させた状態で表示カバー５を下方にスライドさせることを行う（図９参照）。これにより、表示カバー５の両下側係合凸部１４ｂが両突片部１２の両上側係合凹部１２ａ内を通ってその内周面に当接し、さらに下方へのスライドを続けると、両下側係合凸部１４ｂが両突片部１２を外側に撓ませながら両突片部１２の内面に乗り上げ、そのまま両突片部１２を外側に撓ませながら下降し（図１０参照）、両突片部１２の下側係合凹部１２ｂに対応する部分まで下降すると、両下側係合凸部１４ｂと両下側係合凹部１４ｂとが着脱自在に係合するとともに、両上側係合凸部１４ａと両上側係合凹部１２ａとが着脱自在に係合する。この状態では、両突片部１２が元の（撓まない）状態に戻っている。また、この状態では、表示板部４と表示カバー５との間の隙間が形成されており、この隙間に表示シート６を挿入することができる。
【００１５】
一方、表示板部４から表示カバー５を取り外す場合には、上記両突片部１２を外側に押圧して拡げ、両下側係合凸部１４ｂと両下側係合凹部１２ｂとの係合を外したのち、表示カバー５を上方にスライドさせることを行う。これにより、両上側係合凸部１４ａと両上側係合凹部１２ａとの係合も外れ、表示カバー５を取り外すことができる。
【００１６】
上記のように、この実施の形態では、左右に撓みうる両突片部１２を利用し、表示板部４に表示カバー５を固定しているため、従来例のように、上記固定に接着剤，両面テープや別パーツを必要とせず、その分部品代が減少して製造コストが安価になるうえ、部品点数も減少し、在庫管理等の管理面が簡単になる。
【００１７】
図１１は上記トレイ本体１の変形例を示している。この例では、上記トレイ本体１の表示板部４の両突片部１２の内側面１２ｃ（両突片部１２の、相対向する面）が、前側に向かって内向きに傾斜する傾斜面に形成されている。したがって、上記両突片部１２の内面に対応する上記表示カバー５の両下側係合凸部１４ｂの部分（外側面１３ｃ）も、上記下方へのスライド時に上記傾斜面にスライド自在に当接する傾斜面（すなわち、前側に向かって内向きに傾斜する傾斜面）に形成されている（図１２参照）。それ以外の部分は上記実施の形態と同様であり、同様の部分には同じ符号を付している。この実施の形態でも、上記実施の形態と同様の作用・効果を奏する。
【００１８】
図１３は本発明の化粧品陳列具の他の実施の形態を示している。この実施の形態では、上記表示カバー５が、平板状に形成された棒状体からなっており、上記トレイ本体１の表示板部４の両突片部１２の前面も、上記表示カバー５に対応して、表示板部４の前面に沿う傾斜面に形成されている。それ以外の部分は、図１〜図１０に示す実施の形態と同様であり、同様の部分には同じ符号を付している。この実施の形態でも、図１〜図１０に示す実施の形態と同様の作用・効果を奏する。
【００１９】
図１４は本発明の化粧品陳列具のさらに他の実施の形態を示している。この実施の形態では、上記化粧品陳列具として、陳列棚を用いている。このため、この実施の形態では、陳列棚の棚板部分（化粧品陳列台部）７ａの前端部から立設された落下防止板７ｂの上端部から表示板部４が前側に向かって下り傾斜状に延設されている。それ以外の部分は、図１〜図１０に示す実施の形態と同様であり、同様の部分には同じ符号を付している。この実施の形態でも、図１〜図１０に示す実施の形態と同様の作用・効果を奏する。
【００２０】
図１５〜図１７は本発明の表示具の一実施の形態を示している。この実施の形態では、上記表示具は、陳列棚７の前端部から立設される落下防止板７ｂに着脱自在に固定されている。これらの図において、２１は上記落下防止板７ｂに着脱自在に固定される固定板部であり、その下部の薄肉部２１ａ（図１８参照）の前側傾斜面に設けた係合凸部（図示せず）が、上記落下防止板７ｂの後面に設けた係合凹部（図示せず）に着脱自在に固定されている。
【００２１】
上記固定板部２１の上端部から前側（手前側）に向かって下り傾斜状に延設される表示板部４および表示カバー５は、図１〜図１０に示す実施の形態と同様の構造であり、その説明を省略する。この表示具でも、図１〜図１０に示す実施の形態と同様の作用・効果を奏する。
【００２２】
なお、図１５〜図１８に示す実施の形態において、固定板部２１を陳列棚７の落下防止板７ｂに着脱自在に固定する手段としては、両面テープを用いる等、各種の手段が用いられる。また、図１５〜図１８に示す実施の形態では、固定板部２１を陳列棚７の落下防止板７ｂに着脱自在に固定しているが、図１〜図１３に示す実施の形態におけるトレイ本体１の支受板部３に着脱自在に固定してもよい。
【００２３】
また、上記各実施の形態において、上記表示カバー５に、化粧品情報が表示されたシールを貼着したり、上記表示カバー６に直接化粧品情報を印刷してもよい。また、上記両突片部１２に形成される係合凹部１２ａ，１２ｂに代えて、穴もしくは切欠き部を設けてよよい。また、上記各実施の形態において、上記表示板部４の左右両側縁部の一方にだけ切欠き部１３を形成する（すなわち、弾性板部を設ける）ようにしてもよい。
【図面の簡単な説明】
【００２４】
【図１】本発明の化粧品陳列具の一実施の形態を示す側面図である。
【図２】上記化粧品陳列具の平面図である。
【図３】上記化粧品陳列具の正面図である。
【図４】トレイ本体の側面図である。
【図５】上記トレイ本体の平面図である。
【図６】上記トレイ本体の正面図である。
【図７】表示カバーの正面図である。
【図８】上記表示カバーの側面図である。
【図９】上記化粧品陳列具の作用を示す説明図である。
【図１０】上記化粧品陳列具の作用を示す説明図である。
【図１１】上記トレイ本体の変形例を示す要部の拡大図である。
【図１２】上記表示カバーの変形例を示す要部の拡大図である。
【図１３】本発明の化粧品陳列具の他の実施の形態を示す側面図である。
【図１４】本発明の化粧品陳列具のさらに他の実施の形態を示す側面図である。
【図１５】本発明の表示具の一実施の形態を示す側面図である。
【図１６】上記表示具の平面図である。
【図１７】上記表示具の正面図である。
【図１８】上記表示具の表示板部および固定板部の側面図である。
【図１９】従来例を示す分解斜視図である。
【符号の説明】
【００２５】
４  表示板部
５  表示カバー
１２  突片部
１２ａ，１２ｂ  係合凹部
１３  切欠き部
１４ａ，１４ｂ  係合凸部
【図１】
0005118436.tif 000002
【図２】
0005118436.tif 000003
【図３】
0005118436.tif 000004
【図４】
0005118436.tif 000005
【図５】
0005118436.tif 000006
【図６】
0005118436.tif 000007
【図７】
0005118436.tif 000008
【図８】
0005118436.tif 000009
【図９】
0005118436.tif 000010
【図１０】
0005118436.tif 000011
【図１１】
0005118436.tif 000012
【図１２】
0005118436.tif 000013
【図１３】
0005118436.tif 000014
【図１４】
0005118436.tif 000015
【図１５】
0005118436.tif 000016
【図１６】
0005118436.tif 000017
【図１７】
0005118436.tif 000018
【図１８】
0005118436.tif 000019
【図１９】
0005118436.tif 000020